(57)【要約】【課題】ユーザの利便性を確保しつつ、第三者による成りすましを防止すること。【解決手段】キーレスエントリシステム１は、スマートキー２０の使用者の個人認証情報（例えば、指紋データ）を取得する指紋センサ１３と、指紋センサ１３によって取得された個人認証情報（指紋データ）をもとに、スマートキー２０の使用者が当該スマートキー２０の正当な保持者であるか否かを認証する保持者認証部１７ａと、保持者認証部１７ａによって当該スマートキー２０の正当な保持者であると認証された場合に、スマートキー２０の使用期間を更新する使用期間更新部１７ｂとを備える。【選択図】        図１
2006193917.tif 000002
【特許請求の範囲】
【請求項１】
携帯機から送信される識別情報が当該車両制御装置に対応した識別情報であるか否かを識別する携帯機識別処理をおこなうキーレスエントリシステムであって、
前記携帯機の使用者の個人認証情報を取得する認証情報取得手段と、
前記認証情報取得手段によって取得された個人認証情報をもとに、前記携帯機の使用者が当該携帯機の正当な保持者であるか否かを認証する保持者認証手段と、
前記保持者認証手段によって当該携帯機の正当な保持者であると認証された場合に、前記携帯機の使用期間を更新する使用期間更新手段と、
を備えたことを特徴とするキーレスエントリシステム。
【請求項２】
前記使用期間更新手段は、前記保持者認証手段による保持者認証処理が所定の期間についておこなわれなかった場合に、前記携帯機識別処理の識別結果に基づく前記携帯機の使用期間の更新を制限または禁止することを特徴とする請求項１に記載のキーレスエントリシステム。
【請求項３】
前記使用期間更新手段は、前記携帯機の使用期間の更新頻度に応じて前記携帯機の使用期間の延長期間を決定することを特徴とする請求項１または２に記載のキーレスエントリシステム。
【請求項４】
前記認証情報取得手段が前記携帯機に設けられた構成であることを特徴とする請求項１、２または３に記載のキーレスエントリシステム。
【請求項５】
前記認証情報取得手段が前記車両制御装置に設けられた構成であることを特徴とする請求項１〜４のいずれか一つに記載のキーレスエントリシステム。
【請求項６】
前記認証情報取得手段は、前記携帯機の使用者の個人認証情報として車両機器および／または車載機器に係る操作情報を取得し、
前記保持者認証手段は、前記認証情報取得手段によって取得された車両機器および／または車載機器に係る操作情報が所定の操作情報と一致するか否かに基づいて前記携帯機の使用者が当該携帯機の正当な保持者であるか否かを認証することを特徴とする請求項５に記載のキーレスエントリシステム。
【請求項７】
前記認証情報取得手段は、前記携帯機の使用者から個人認証情報を公衆回線を介して取得することを特徴とする請求項１〜６のいずれか一つに記載のキーレスエントリシステム。
【発明の詳細な説明】
【技術分野】
【０００１】
本発明は、携帯機から送信される識別情報が当該車両制御装置に対応した識別情報であるか否かを識別する携帯機識別処理をおこなうキーレスエントリシステムに関する。
【背景技術】
【０００２】
従来より、自動車などの車両において、車体の一部を開閉可能に覆うドアやトランクなどの開閉体の開閉制御をおこなうシステムとして、無線通信機能を有する携帯機から送信されたロック・アンロック信号を車載の無線装置で受信して開閉体のロック・アンロック機構を駆動することにより、当該開閉体のロック・アンロック状態を遠隔操作できるようにしたキーレスエントリシステムが知られている。
【０００３】
さらに、近年では、車載の無線装置と携帯機との交信データに基づいて、該携帯機に設定された固有の認証コードと、車載の無線装置に連携した制御装置のメモリに予め登録された認証コードとを照査し、この照査結果に応じて開閉体のロック・アンロック状態が自動制御されるようにしたパッシブ・キーレスエントリシステムが開発されている（例えば、特許文献１参照。）。
【０００４】
また、第三者によって携帯機の識別情報が不正に入手された場合に、第三者が携帯機の正当な保持者に成りすますことを防止するために、携帯機から送信される識別情報が車載の無線装置に対応した識別情報であるか否かを識別する「携帯機識別処理」と、携帯機の使用者の個人認証情報（例えば、指紋データや音声特性など）をもとに、携帯機の使用者が携帯機の正当な保持者であるか否かを認証する「保持者認証処理」とをおこなって、携帯機が車載の無線装置に対応した携帯機であると識別され、かつ携帯機の使用者が携帯機の正当な保持者であると認証された場合にのみ、開閉体のロック・アンロック状態の遠隔操作を容認するキーレスエントリシステムが開発されている（例えば、特許文献２参照。）。
【０００５】
【特許文献１】特開２００１−２９５５２３号公報
【特許文献２】特開２００３−１７８０３２号公報
【発明の開示】
【発明が解決しようとする課題】
【０００６】
しかしながら、上記の従来技術（特許文献１）は、車載の無線装置に対応した携帯機から車両制御に係る要求（すなわち、開閉体の制御、エンジンの始動またはエアコンの始動などのユーザ要求）が送信された場合、この携帯機の使用者が携帯機の正当な保持者でなくとも車両制御に係る要求を実行するものであるため、第三者が携帯機の正当な保持者に成りすます「成りすまし行為」を防止することができないとう問題点があった。
【０００７】
また、上記の従来技術（特許文献２）では、携帯機が正規のものであるか否かを識別する「携帯機識別処理」および携帯機の使用者が携帯機の正当な保持者であるか否かを認証する「保持者認証処理」を実施するため、第三者による携帯機の不正利用を防止できる反面、携帯機の使用者に個人認証情報の入力作業を車両制御に係る遠隔操作をおこなう度に強いることとなるため、ユーザの利便性を損なうという問題点があった。具体的には、車両制御に係る遠隔操作をおこなう都度、所定の入力装置（すなわち、指紋センサやマイクロホンなど）に個人認証情報（例えば、指紋データや音声特性など）を入力させる手間を携帯機の使用者に強いることとなる。
【０００８】
これらのことから、第三者が携帯機の正当な保持者に成りすます「成りすまし行為」を防止することに加え、携帯機の使用者の利便性をいかに確保するかが極めて重要な課題になっている。
【０００９】
そこで、本発明は、上述した従来技術による課題（問題点）を解消するためになされたものであり、ユーザの利便性を確保しつつ、第三者による成りすましを防止することができるキーレスエントリシステムを提供することを目的とする。
【課題を解決するための手段】
【００１０】
上述した課題を解決し、目的を達成するために、請求項１の発明に係るキーレスエントリシステムは、携帯機から送信される識別情報が当該車両制御装置に対応した識別情報であるか否かを識別する携帯機識別処理をおこなうキーレスエントリシステムであって、前記携帯機の使用者の個人認証情報を取得する認証情報取得手段と、前記認証情報取得手段によって取得された個人認証情報をもとに、前記携帯機の使用者が当該携帯機の正当な保持者であるか否かを認証する保持者認証手段と、前記保持者認証手段によって当該携帯機の正当な保持者であると認証された場合に、前記携帯機の使用期間を更新する使用期間更新手段と、を備えたことを特徴とする。
【００１１】
また、請求項２の発明に係るキーレスエントリシステムは、上記の発明において、前記使用期間更新手段は、前記保持者認証手段による保持者認証処理が所定の期間についておこなわれなかった場合に、前記携帯機識別処理の識別結果に基づく前記携帯機の使用期間の更新を制限または禁止することを特徴とする。
【００１２】
また、請求項３の発明に係るキーレスエントリシステムは、上記の発明において、前記使用期間更新手段は、前記携帯機の使用期間の更新頻度に応じて前記携帯機の使用期間の延長期間を決定することを特徴とする。
【００１３】
また、請求項４の発明に係るキーレスエントリシステムは、上記の発明において、前記認証情報取得手段が前記携帯機に設けられた構成であることを特徴とする。
【００１４】
また、請求項５の発明に係るキーレスエントリシステムは、上記の発明において、前記認証情報取得手段が前記車両制御装置に設けられた構成であることを特徴とする。
【００１５】
また、請求項６の発明に係るキーレスエントリシステムは、上記の発明において、前記認証情報取得手段は、前記携帯機の使用者の個人認証情報として車両機器および／または車載機器に係る操作情報を取得し、前記保持者認証手段は、前記認証情報取得手段によって取得された車両機器および／または車載機器に係る操作情報が所定の操作情報と一致するか否かに基づいて前記携帯機の使用者が当該携帯機の正当な保持者であるか否かを認証することを特徴とする。
【００１６】
また、請求項７の発明に係るキーレスエントリシステムは、上記の発明において、前記認証情報取得手段は、前記携帯機の使用者から個人認証情報を公衆回線を介して取得することを特徴とする。
【発明の効果】
【００１７】
本発明によれば、携帯機の使用者の個人認証情報を取得し、取得された個人認証情報をもとに、携帯機の使用者が当該携帯機の正当な保持者であるか否かを認証し、当該携帯機の正当な保持者であると認証された場合に、携帯機の使用期間を更新することとしたので、ユーザの利便性を確保しつつ、第三者による成りすましを防止することが可能なキーレスエントリシステムが得られるという効果を奏する。
【００１８】
また、本発明によれば、保持者認証処理が所定の期間についておこなわれなかった場合に、携帯機識別処理の識別結果に基づく携帯機の使用期間の更新を制限または禁止することとしたので、ユーザの利便性を効果的に向上させつつ、携帯機の不正利用に対する安全性を確保することが可能なキーレスエントリシステムが得られるという効果を奏する。
【００１９】
また、本発明によれば、携帯機の使用期間の更新頻度に応じて携帯機の使用期間の延長期間を決定することとしたので、第三者による携帯機の継続的な不正利用を効果的に防止することが可能なキーレスエントリシステムが得られるという効果を奏する。
【００２０】
また、本発明によれば、認証情報取得手段が携帯機に設けられた構成を採用することとしたので、車両制御装置に新たな設備を設けることなく、保持者認証処理をおこなうことが可能なキーレスエントリシステムが得られるという効果を奏する。
【００２１】
また、本発明によれば、認証情報取得手段が車両制御装置に設けられた構成を採用することとしたので、携帯機に新たな設備を設けることなく、保持者認証処理をおこなうことが可能なキーレスエントリシステムが得られるという効果を奏する。
【００２２】
また、本発明によれば、携帯機の使用者の個人認証情報として車両機器および／または車載機器に係る操作情報を取得し、取得された車両機器および／または車載機器に係る操作情報が所定の操作情報と一致するか否かに基づいて携帯機の使用者が当該携帯機の正当な保持者であるか否かを認証することとしたので、新たな設備を設けることなく、保持者認証処理をおこなうことが可能なキーレスエントリシステムが得られるという効果を奏する。
【００２３】
また、本発明によれば、携帯機の使用者から個人認証情報を公衆回線を介して取得することとしたので、携帯機の使用者が遠隔の地に存在する場合でも、携帯機の使用期間の更新をおこなうことが可能なキーレスエントリシステムが得られるという効果を奏する。
【発明を実施するための最良の形態】
【００２４】
以下に添付図面を参照して、本発明に係るキーレスエントリシステムの好適な実施例について詳細に説明する。なお、以下では、本発明に係るキーレスエントリシステムの概要および特徴を説明した後に、本実施例１および２に係るキーレスエントリシステムを説明し、最後に、他の実施例として種々の変形例（実施例３）を説明することとする。
【００２５】
（概要および特徴）
まず最初に、本発明に係るキーレスエントリシステムの概要および特徴を説明する。図１は、本実施例１に係るキーレスエントリシステムの構成を示すブロック図である。同図に示すように、このキーレスエントリシステム１は、スマートキー２０から送信される識別情報が当該車両制御装置１０に対応した識別情報であるか否かを識別する「携帯機識別処理」をおこなうものである。
【００２６】
ここで、本発明に係るキーレスエントリシステム１は、スマートキー２０の使用者の個人認証情報を取得し、取得された個人認証情報をもとに、スマートキー２０の使用者が当該スマートキー２０の正当な保持者であるか否かを認証し、当該スマートキー２０の正当な保持者であると認証された場合に、スマートキー２０の使用期間を更新する「使用期間更新処理」に主たる特徴があり、かかる「使用期間更新処理」によって、ユーザの利便性を確保しつつ、第三者による成りすましを防止することができるようにしている。
【００２７】
この主たる特徴を具体的に説明すると、このキーレスエントリシステム１では、スマートキーの使用者の利便性およびスマートキーの不正利用に対する安全性を両立させるために、スマートキー２０に「使用期間」を設定する。
【００２８】
かかるスマートキーの「使用期間」とは、スマートキー２０を使用可能な期間を指し、このキーレスエントリシステム１においては、スマートキー２０の使用期間内であり、かつ当該車両制御装置１０に対応したスマートキー２０からの車両制御に係る要求（すなわち、開閉体の制御、エンジンの始動またはエアコンの始動などのユーザ要求）であれば、スマートキー２０の使用者からの車両制御に係る要求を実行し、スマートキー２０の使用期間外であれば、正規のスマートキー２０からの車両制御に係る要求であっても実行しない。
【００２９】
このように、スマートキーの使用期間内であれば、「保持者認証処理」をおこなわずとも車両制御に係る要求の実行を許容することで、スマートキーの使用者に個人認証情報の入力作業をおこなわせる頻度を低減させることができる。
【００３０】
さらに、このキーレスエントリシステム１では、スマートキーの使用期間の更新（すなわち、時間的な期間の延長や使用回数の延長）については、「保持者認証処理」によってスマートキー２０の正当な保持者であると認証された場合にのみ許容することで、第三者によるスマートキーの継続的な不正利用を防止することができるようにしている。
【００３１】
したがって、上記した従来技術の例で言えば、車両制御装置に対応したスマートキーからの車両制御に係る要求を画一的に実行したり、スマートキーの使用者に個人認証情報の入力作業を車両制御に係る遠隔操作をおこなう度に強いることで、スマートキーの使用者の利便性、或いはスマートキーの不正利用に対する安全性を犠牲にするのではなく、スマートキーに使用期間を設定し、このスマートキーの使用期間の更新を「保持者認証処理」によってスマートキー２０の正当な保持者であると認証された場合にのみ許容することで、スマートキーの使用者に個人認証情報の入力作業をおこなわせる頻度を低減させるとともに、第三者によるスマートキーの継続的な不正利用を防止することができ、上記した主たる特徴のように、ユーザの利便性を確保しつつ、第三者による成りすましを防止することが可能になる。
【実施例１】
【００３２】
次に、本実施例１では、スマートキーの使用者の個人認証情報（例えば、指紋データ）を取得する認証情報取得手段（例えば、指紋センサ）を車両制御装置が有する場合の実施例について説明する。なお、ここでは、本実施例１に係るキーレスエントリシステムの構成を説明した後に、このキーレスエントリシステムの各種処理の手順を説明する。
【００３３】
（キーレスエントリシステムの構成）
図１は、本実施例１に係るキーレスエントリシステムの構成をシステム構成図である。同図に示すように、このキーレスエントリシステム１は、車両制御装置１０およびスマートキー２０を備える。
【００３４】
このうち、スマートキー２０は、車載の車両制御装置１０に対して車両制御に係る要求をおこなう携帯機である。具体的には、マイコン２４は、スマートキー２０の使用者によるスマートキーボタン２１（例えば、ドアの開閉ボタンやエンジン始動／停止ボタンなど）の押下を受けて、スマートキー２０の携帯機識別情報２３ａ（例えば、キーレスエントリＩＤなど）を含む車両制御に係る要求（すなわち、ドアの開閉やエンジンの始動／停止などのユーザ要求）を無線通信部２２を介して車両制御装置１０に送信する。
【００３５】
車両制御装置１０は、スマートキー２０から受信した車両制御に係る要求（すなわち、ドアの開閉やエンジンの始動／停止などのユーザ要求）を実行するものであり、スマートキー２０との無線通信をおこなう無線通信部１１と、シフト１２ｂに関する制御をおこなうシフトＥＣＵ１２ａと、ドア１４ｂの開錠・施錠などドアに関する制御をおこなうドアＥＣＵ１４ａと、エンジン１５ｂに関する制御をおこなうエンジンＥＣＵ１５ａと、指紋センサ１３と、記憶部１６と、制御部１７とを備える。
【００３６】
このうち、指紋センサ１３は、スマートキー２０の使用者から指紋データの入力を受け付けるＣＣＤ（Charge Coupled Device）などを内蔵した指紋入力装置であり、本実施例１では、図２に示すように、指紋センサ１３がシフトレバー１２ｂに設置されており、運転者によってシフトレバー１２ｂが操作される度に、指紋データの入力を受け付けることとなる。なお、通常、スマートキーの使用者が車両の運転をおこなうので、本実施例１では、運転者がスマートキーを所持しているものと倣なすこととする。
【００３７】
記憶部１６は、制御部１７による各種処理に必要なデータおよびプログラムを格納する格納手段（記憶手段）であり、携帯機識別情報１６ａと、指紋データ１６ｂと、使用期間データ１６ｃとを記憶している。
【００３８】
このうち、携帯機識別情報１６ａは、当該車両制御装置１０に対応したスマートキー２０を一意に特定する識別情報（例えば、キーレスエントリＩＤ）であり、指紋データ１６ｂは、スマートキー２０の保持者権限を有する人物の指紋データであり、また、使用期間データ１６ｃは、スマートキー２０を使用可能な期間を示すデータである。
【００３９】
制御部１７は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、保持者認証部１７ａ、使用期間更新部１７ｂ、携帯機識別部１７ｃおよび車両制御要求実行部１７ｄを備える。
【００４０】
このうち、保持者認証部１７ａは、指紋センサ１３によって取得された指紋データをもとに、スマートキー２０の使用者が当該スマートキー２０の正当な保持者であるか否かを認証する「保持者認証処理」をおこなう処理部である。具体的には、指紋センサ１３によって取得されたスマートキー２０の使用者の指紋データが記憶部１６によって記憶されたスマートキー２０の保持者権限を有する人物の指紋データ１６ｂのいずれかと一致するか否かを判定する。
【００４１】
そして、スマートキー２０の使用者の指紋データがスマートキー２０の保持者権限を有する人物の指紋データ１６ｂのいずれかと一致する場合には、スマートキー２０の使用者が当該スマートキー２０の正当な保持者であると認証し、また、スマートキー２０の使用者の指紋データがスマートキー２０の保持者権限を有する人物の指紋データ１６ｂのいずれとも一致しなければ、スマートキー２０の使用者が当該スマートキー２０の正当な保持者ではないと認証する。
【００４２】
使用期間更新部１７ｂは、スマートキー２０の使用期間を更新する処理部であり、具体的には、保持者認証部１７ａによって当該スマートキー２０の正当な保持者であると認証された場合に、記憶部１６におけるスマートキー２０の使用期間データ１６ｃを更新（すなわち、時間的な期間の延長や使用回数の延長）をする。
【００４３】
このように、スマートキーに使用期間を設定し、このスマートキーの使用期間の更新を「保持者認証処理」によってスマートキー２０の正当な保持者であると認証された場合にのみ許容することで、スマートキーの使用者に個人認証情報の入力作業をおこなわせる頻度を低減させるとともに、第三者によるスマートキーの継続的な不正利用を防止することができ、ユーザの利便性を確保しつつ、第三者による成りすましを防止することが可能になる。
【００４４】
ここで、本実施例１では、スマートキーの使用者に個人認証情報の入力作業をおこなわせる頻度を低減させる観点から、上述した「保持者認証処理」の認証結果に基づくスマートキーの「使用期間更新処理」を許容するとともに、後述する「携帯機識別処理」の識別結果に基づくスマートキーの「使用期間更新処理」についても許容することとする。
【００４５】
但し、「携帯機識別処理」の識別結果に基づくスマートキーの「使用期間」の更新は、保持者認証部１７ａによる「保持者認証処理」が所定の期間についておこなわれなかった場合には、制限または禁止することとする。以下に、「携帯機識別処理」の識別結果に基づくスマートキーの「使用期間」の更新について具体的に説明する。
【００４６】
携帯機識別部１７ｃは、スマートキーから無線通信部１１を介してスマートキーの識別情報を含む車両制御に係る要求を受信した場合に、このスマートキーから送信された識別情報が車両制御装置１０に対応した識別情報であるか否かを識別する「携帯機識別処理」をおこなう処理部であり、具体的には、スマートキーから送信された携帯機識別情報２３ａが車両制御装置１０の記憶部１６に記憶された携帯機識別情報１６ａと一致するか否かを判定する。
【００４７】
そして、スマートキーから送信された携帯機識別情報２３ａが車両制御装置１０の記憶部１６に記憶された携帯機識別情報１６ａと一致する場合には、正規のスマートキー２０からの車両制御に係る要求であると識別し、また、スマートキーから送信された携帯機識別情報２３ａが車両制御装置１０の記憶部１６に記憶された携帯機識別情報１６ａと一致しなければ、正規のスマートキー２０からの車両制御に係る要求ではないと識別する。
【００４８】
続いて、車両制御要求実行部１７ｄは、携帯機識別部１７ｃによって正規のスマートキー２０からの車両制御に係る要求であると識別され、かつスマートキー２０の使用期間データ１６ｃが使用期間内である場合に、当該車両制御に係る要求を実行する処理部である。具体的には、車両制御に係る指示（例えば、ドアの開／閉指示やエンジンの始動／停止指示などの車両制御指示）を各ＥＣＵ（すなわち、ドアＥＣＵ１４ａやエンジンＥＣＵ１５ａなど）におこなうことによって実行する。
【００４９】
ここで、使用期間更新部１７ｂは、保持者認証部１７ａによる「保持者認証処理」が所定の期間内におこなわれている場合には、スマートキー２０の使用期間データ１６ｃを更新し、また、保持者認証部１７ａによる「保持者認証処理」が所定の期間についておこなわれていない場合には、スマートキー２０の使用期間データ１６ｃの更新を禁止する。
【００５０】
このように、所定の期間内については、「保持者認証処理」を伴わない「携帯機識別処理」の識別結果に基づく「使用期間更新処理」を許容し、所定の期間について「保持者認証処理」がおこなわれなかった場合には、「保持者認証処理」の認証結果に基づくスマートキーの「使用期間更新処理」を禁止することで、ユーザの利便性を効果的に向上させつつ、スマートキーの不正利用に対する安全性を確保することが可能になる。
【００５１】
（各種処理の手順）
次に、本実施例１に係るキーレスエントリシステムの各種処理の手順について説明する。なお、ここでは、主たる特徴である（１）保持者認証処理の認証結果に基づく「使用期間更新処理」を説明した後に、主たる特徴に関連した処理として、上記した「使用期間更新処理」とは別におこなわれる（２）携帯機識別処理の識別結果に基づく「使用期間更新処理」について説明する。
【００５２】
（１）保持者認証処理の認証結果に基づく「使用期間更新処理」
図３は、保持者認証処理の認証結果に基づく使用期間更新処理の手順を示すフローチャートである。この処理は、スマートキーの使用者によってシフトレバー１２ｂが操作された場合に、開始されることとなる。
【００５３】
同図に示すように、スマートキー２０の使用者によってシフトレバー１２ｂが操作された場合（ステップＳ３０１肯定）に、指紋センサ１３は、スマートキー２０の使用者から指紋データを取得する（ステップＳ３０２）。
【００５４】
そして、保持者認証部１７ａは、指紋センサ１３によって取得された指紋データをもとに、スマートキー２０の使用者が当該スマートキー２０の正当な保持者であるか否かを認証する「保持者認証処理」をおこなう（ステップＳ３０３）。
【００５５】
ここで、保持者認証部１７ａによってスマートキー２０の使用者が当該スマートキー２０の正当な保持者であると認証された場合（ステップＳ３０４肯定）に、記憶部１６におけるスマートキー２０の使用期間データ１６ｃを更新し（ステップＳ３０５）、処理を終了する。
【００５６】
また、保持者認証部１７ａによってスマートキー２０の使用者が当該スマートキー２０の正当な保持者ではないと認証された場合（ステップＳ３０４否定）には、使用期間更新部１７ｂは、スマートキー２０の使用期間データ１６ｃを破棄し（ステップＳ３０６）、処理を終了する。
【００５７】
このように、スマートキーに使用期間を設定し、このスマートキーの使用期間の更新を「保持者認証処理」によってスマートキー２０の正当な保持者であると認証された場合にのみ許容することで、スマートキーの使用者に個人認証情報の入力作業をおこなわせる頻度を低減させるとともに、第三者によるスマートキーの継続的な不正利用を防止することができる。
【００５８】
（２）携帯機識別処理の識別結果に基づく「使用期間更新処理」
図４は、携帯機識別処理の識別結果に基づく使用期間更新処理の手順を示すフローチャートである。この処理は、スマートキーから車両制御に係る要求がおこなわれた場合に、開始されることとなる。
【００５９】
同図に示すように、スマートキーから無線通信部１１を介してスマートキーの識別情報を含む車両制御に係る要求を受信した場合（ステップＳ４０１肯定）に、携帯機識別部１７ｃは、このスマートキーから送信された識別情報が車両制御装置１０に対応した識別情報であるか否かを識別する「携帯機識別処理」をおこなう（ステップＳ４０２）。
【００６０】
そして、携帯機識別部１７ｃによって正規のスマートキー２０からの車両制御に係る要求であると識別され、かつスマートキー２０の使用期間データ１６ｃが使用期間内である場合（ステップＳ４０３肯定かつステップＳ４０４肯定）に、車両制御要求実行部１７ｄは、当該車両制御に係る要求を実行する（ステップＳ４０５）。
【００６１】
また、携帯機識別部１７ｃによって正規のスマートキー２０からの車両制御に係る要求であると識別されたとしても、スマートキー２０の使用期間データ１６ｃが使用期間外であれば（ステップＳ４０３肯定かつステップＳ４０４否定）、車両制御要求実行部１７ｄは、「保持者認証処理」を要する旨を通知する（ステップＳ４０６）。
【００６２】
ここで、保持者認証部１７ａによる「保持者認証処理」が所定の期間内におこなわれている場合（ステップＳ４０７肯定）には、使用期間更新部１７ｂは、スマートキー２０の使用期間データ１６ｃを更新し（ステップＳ４０８）、処理を終了する。
【００６３】
また、保持者認証部１７ａによる「保持者認証処理」が所定の期間についておこなわれていない場合（ステップＳ４０７否定）には、使用期間更新部１７ｂは、スマートキー２０の使用期間データ１６ｃの更新を禁止し（ステップＳ４０９）、処理を終了する。
【００６４】
上述してきたように、本実施例１に係るキーレスエントリシステム１によれば、スマートキーの使用者に個人認証情報の入力作業をおこなわせる頻度を低減させるとともに、第三者によるスマートキーの継続的な不正利用を防止することができ、ユーザの利便性を確保しつつ、第三者による成りすましを防止することが可能になる。
【００６５】
さらに、本実施例１に係るキーレスエントリシステム１によれば、所定の期間内については、「保持者認証処理」を伴わない「携帯機識別処理」の識別結果に基づく「使用期間更新処理」を許容し、所定の期間について「保持者認証処理」がおこなわれなかった場合には、「保持者認証処理」の認証結果に基づくスマートキーの「使用期間更新処理」を禁止することとしたので、ユーザの利便性を効果的に向上させつつ、スマートキーの不正利用に対する安全性を確保することが可能になる。
【００６６】
また、本実施例１に係るキーレスエントリシステム１によれば、スマートキーの使用者の個人認証情報（例えば、指紋データ）を取得する認証情報取得手段（指紋センサ１３）が車両制御装置１０に設けられた構成を採用することとしたので、スマートキーに新たな設備を設けることなく、保持者認証処理をおこなうことが可能になる。
【実施例２】
【００６７】
次に、本実施例２では、スマートキーの使用者の個人認証情報（例えば、指紋データ）を取得する認証情報取得手段（例えば、指紋センサ）をスマートキーが有する場合の実施例について説明する。
【００６８】
図５は、本実施例２に係るキーレスエントリシステムの構成を示すブロック図である。同図に示すように、本実施例２に係るキーレスエントリシステム１は、実施例１に比較して、スマートキー２０が指紋センサ２５、保持者認証部２４ａおよび使用期間更新部２４ｂの機能部を有する点において相違する。なお、各処理部の機能は、実施例１と同様である。
【００６９】
このため、これらの機能部（指紋センサ２５、保持者認証部２４ａおよび使用期間更新部２４ｂ）がスマートキー２０に存在するという構成上の差異を踏まえ、（１）本実施例２に係る保持者認証処理の認証結果に基づく「使用期間更新処理」並びに（２）本実施例２に係る携帯機識別処理の識別結果に基づく「使用期間更新処理」の処理動作を説明することとする。
【００７０】
（１）保持者認証処理の認証結果に基づく「使用期間更新処理」
図６は、本実施例２に係る保持者認証処理の認証結果に基づく使用期間更新処理の手順を示すフローチャートである。この処理は、スマートキー２０の所望の部位に設置された指紋センサ１３によってスマートキー２０の使用者から指紋データの入力を受け付けた場合に、開始されることとなる。
【００７１】
同図に示すように、スマートキー２０の所望の部位に設置された指紋センサ１３によってスマートキー２０の使用者から指紋データの入力を受け付けた場合（ステップＳ６０１肯定）に、保持者認証部２４ａは、指紋センサ１３によって取得された指紋データをもとに、スマートキー２０の使用者が当該スマートキー２０の正当な保持者であるか否かを認証する「保持者認証処理」をおこなう（ステップＳ６０２）。
【００７２】
具体的に説明すると、指紋センサ１３によって取得されたスマートキー２０の使用者の指紋データがメモリ２３によって記憶されたスマートキー２０の保持者権限を有する人物の指紋データ２３ｂのいずれかと一致するか否かを判定する。
【００７３】
ここで、保持者認証部２４ａによってスマートキー２０の使用者が当該スマートキー２０の正当な保持者であると認証された場合（ステップＳ６０３肯定）に、使用期間更新部２４ｂは、メモリ２３におけるスマートキー２０の使用期間データ２３ｃを更新し（ステップＳ６０４）、処理を終了する。
【００７４】
また、保持者認証部２４ａによってスマートキー２０の使用者が当該スマートキー２０の正当な保持者ではないと認証された場合（ステップＳ６０３否定）には、使用期間更新部２４ｂは、スマートキー２０の使用期間データ２３ｃを破棄し（ステップＳ６０５）、処理を終了する。
【００７５】
このように、スマートキー２０が指紋センサ２５、保持者認証部２４ａおよび使用期間更新部２４ｂの機能部を有する場合でも、実施例１と同様に、スマートキーの使用者に個人認証情報の入力作業をおこなわせる頻度を低減させるとともに、第三者によるスマートキーの継続的な不正利用を防止することができる。
【００７６】
（２）携帯機識別処理の識別結果に基づく「使用期間更新処理」
図７は、本実施例２に係る携帯機識別処理の識別結果に基づく使用期間更新処理の手順を示すフローチャートである。この処理は、車両制御装置１０から携帯機識別情報の取得要求がある場合（例えば、車両制御装置１０に設置された接近センサによって車両への人の接近または車両からの人の離脱が検知され、この車両制御装置１０からスマートキー２０に対して、スマートキーの識別情報を含むドア解錠／施錠要求の返信依頼を受信した場合）、或いはスマートキー２０の使用者からキーレスエントリボタン２１を介して車両制御に係る要求を受け付けた場合に、開始されることとなる。
【００７７】
同図に示すように、車両制御装置１０から携帯機識別情報の取得要求がある場合（ステップＳ７０１肯定）、或いはスマートキー２０の使用者からキーレスエントリボタン２１を介して車両制御に係る要求を受け付けた場合（ステップＳ７０１否定かつステップＳ７０２肯定）であっても、スマートキー２０が使用期間外であれば（ステップＳ７０３否定）、マイコン２４は、「保持者認証処理」を要する旨を通知する（ステップＳ７０４）。
【００７８】
また、車両制御装置１０から携帯機識別情報の取得要求がある場合（ステップＳ７０１肯定）、或いはスマートキー２０の使用者からキーレスエントリボタン２１を介して車両制御に係る要求を受け付けた場合（ステップＳ７０１否定かつステップＳ７０２肯定）に、スマートキー２０が使用期間内であれば（ステップＳ７０３肯定）、マイコン２４は、メモリ２３からスマートキー２０の携帯機識別情報２３ａを読み出し、該スマートキー２０の携帯機識別情報２３ａを含む車両制御に係る要求を車両制御装置１０に送信する（ステップＳ７０５）。
【００７９】
そして、車両制御装置１０では、無線通信部１１においてスマートキー２０の携帯機識別情報２３ａを含む車両制御に係る要求を受信する（ステップＳ７０６）。続いて、携帯機識別部１７ｃは、スマートキー２０から受信したスマートキーの携帯機識別情報２３ａが当該車両制御装置１０に対応した携帯機識別情報であるか否かを識別する「携帯機識別処理」をおこなう（ステップＳ７０７）。具体的には、スマートキー２０から送信された携帯機識別情報２３ａが車両制御装置１０の記憶部１６に記憶された携帯機識別情報１６ａと一致するか否かを判定する。
【００８０】
ここで、携帯機識別部１７ｃによって正規のスマートキー２０からの車両制御に係る要求であると識別された場合（ステップＳ７０８肯定）に、車両制御要求実行部１７ｄは、スマートキー２０から送信された車両制御に係る要求を実行し（ステップＳ７０９）、車両制御に係る要求を実行した旨を無線通信部１１を介してスマートキー２０に返信する（ステップＳ７１０）。
【００８１】
そして、スマートキー２０では、無線通信部２２において車両制御に係る要求を実行した旨を受信する（ステップＳ７１１）。このとき、保持者認証部２４ａによる「保持者認証処理」が所定の期間内におこなわれている場合（ステップＳ７１２肯定）には、使用期間更新部１７ｂは、スマートキー２０の使用期間データ２３ｃを更新し（ステップＳ７１３）、処理を終了する。
【００８２】
また、保持者認証部１７ａによる「保持者認証処理」が所定の期間についておこなわれていない場合（ステップＳ７１２否定）には、使用期間更新部１７ｂは、スマートキー２０の使用期間データ２３ｃの更新を禁止し（ステップＳ７１４）、処理を終了する。
【００８３】
上述してきたように、指紋センサ２５、保持者認証部２４ａおよび使用期間更新部２４ｂの機能部をスマートキー２０が有する本実施例２に係るキーレスエントリシステム１においても、実施例１と同様に、スマートキーの使用者に個人認証情報の入力作業をおこなわせる頻度を低減させるとともに、第三者によるスマートキーの継続的な不正利用を防止することができ、ユーザの利便性を確保しつつ、第三者による成りすましを防止することが可能になる。
【００８４】
また、本実施例２に係るキーレスエントリシステム１によれば、スマートキーの使用者の個人認証情報（例えば、指紋データ）を取得する認証情報取得手段（指紋センサ２５）がスマートキー２０に設けられた構成を採用することとしたので、車両制御装置に新たな設備を設けることなく、保持者認証処理をおこなうことが可能になる。
【実施例３】
【００８５】
さて、これまで本発明の実施例１および２について説明したが、本発明は上述した実施例以外にも、上記特許請求の範囲に記載した技術的思想の範囲内において種々の異なる実施例にて実施されてもよいものである。
【００８６】
例えば、本発明では、スマートキーの使用期間の更新頻度に応じてスマートキーの使用期間の延長期間を決定するようにしても良い。例えば、スマートキーの使用期間の更新頻度が低ければ、使用期間の期間延長を短くしたり、使用可能回数を少なくしたりする。すなわち、これによって、第三者によるスマートキーの継続的な不正利用を効果的に防止することが可能になる。
【００８７】
また、本発明では、スマートキー２０の使用者の個人認証情報として車両機器および／または車載機器に係る操作情報を取得し、取得された車両機器および／または車載機器に係る操作情報が所定の操作情報と一致するか否かに基づいてスマートキー２０の使用者が当該スマートキー２０の正当な保持者であるか否かを認証するようにしても良い。
【００８８】
例えば、ヘッドライトの「ＯＮ」状態および「ＯＦＦ」状態を１０秒間の間に３回以上切り替える操作を受け付けた場合に、スマートキー２０の使用者が当該スマートキー２０の正当な保持者であるか否かを認証するようにしたり、車両制御装置１０に接続されたＡＶユニット（図示せず）の操作ディスプレイにおいて、再生ボタンと停止ボタンの同時押下を３秒間について受け付けた場合に、スマートキー２０の使用者が当該スマートキー２０の正当な保持者であるか否かを認証するようにしたりする。すなわち、これによって、新たな設備を設けることなく、保持者認証処理をおこなうことが可能になる。
【００８９】
また、本発明では、スマートキー２０の使用者から個人認証情報を公衆回線を介して取得するようにしても良い。例えば、スマートキーの使用者が所有するパーソナルコンピュータ、携帯電話機、ＰＤＡなどの通信装置から送信された個人認証情報（例えば、暗証番号、指紋データ、使用者の顔写真の画像データなど）を取得するようにする。すなわち、これによって、スマートキーの使用者が遠隔の地に存在する場合でも、スマートキーの使用期間の更新をおこなうことが可能になる。
【００９０】
また、実施例１では、指紋センサ１３などの個人認証情報を取得する認証情報取得手段をシフトレバー１２ｂに設置する例について説明したが、本発明はこれに限定されるものではなく、車内および車外の任意の箇所（例えば、ハンドルや車内外のドアノブなど）に設置し、運転者以外の乗員に個人認証情報を入力させるようにすることができる。
【００９１】
なお、実施例１および２では、保持者認証部１７ａによってスマートキー２０の使用者が当該スマートキー２０の正当な保持者ではないと認証された場合に取るべき措置として、スマートキー２０の使用期間データを破棄する例について説明したが、本発明はこれに限定されるものではなく、アラーム制御など盗難防止に係る措置を取るようにしても良い。
【００９２】
また、実施例１および２では、携帯機識別情報および個人認証情報として、それぞれ別々の識別情報および認証情報を用いる例について説明したが、本発明はこれに限定されるものではなく、スマートキー２０で個人認証情報を使用期間について保持するようにし、この個人認証情報を携帯機識別情報として兼用するようにしても良い。
【００９３】
なお、実施例１および２では、本発明に係る機能部（すなわち、指紋センサ、保持者認証部および使用期間更新部）が車両制御装置１０側またはスマートキー２０側にすべて存在する例について説明したが、本発明はこれに限定されるものではなく、車両制御装置１０およびスマートキー２０全体で、指紋センサ、保持者認証部および使用期間更新部を少なくとも一組備えていれば、本発明を実施例１および２と同様に実施することができる。例えば、車両制御装置１０およびスマートキー２０で本発明に係る機能部（すなわち、指紋センサ、保持者認証部および使用期間更新部）をそれぞれ備えるようにしても良い。
【００９４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図面の簡単な説明】
【００９６】
【図１】本実施例１に係るキーレスエントリシステムの構成を示すブロック図である。
【図２】指紋センサの設置例の一例を示す図である。
【図３】本実施例１に係る保持者認証処理の認証結果に基づく使用期間認証処理の手順を示すフローチャートである。
【図４】本実施例１に係る携帯機識別処理の識別結果に基づく使用期間更新処理の手順を示すフローチャートである。
【図５】本実施例２に係るキーレスエントリシステムの構成を示すブロック図である。
【図６】本実施例２に係る保持者認証処理の認証結果に基づく使用期間認証処理の手順を示すフローチャートである。
【図７】本実施例２に係る携帯機識別処理の識別結果に基づく使用期間更新処理の手順を示すフローチャートである。
【符号の説明】
【００９７】
１    キーレスエントリシステム
１０    車両制御装置
１１    無線通信部
１２ａ  シフトＥＣＵ
１２ｂ  シフトレバー
１３    指紋センサ
１４ａ  ドアＥＣＵ
１４ｂ  ドア
１５ａ  エンジンＥＣＵ
１５ｂ  エンジン
１６    記憶部
１７    制御部
１７ａ  保持者認証部
１７ｂ  使用者期間更新部
１７ｃ  携帯機識別部
１７ｄ  車両制御要求実行部
２０    スマートキー
２１    キーレスエントリボタン
２２    無線通信部
２３    メモリ
２４    マイコン
２４ａ  保持者認証部
２４ｂ  使用期間更新部
【図１】
2006193917.tif 000003
【図２】
2006193917.tif 000004
【図３】
2006193917.tif 000005
【図４】
2006193917.tif 000006
【図５】
2006193917.tif 000007
【図６】
2006193917.tif 000008
【図７】
2006193917.tif 000009